(57)【要約】【課題】映像データを取得するユーザの操作労力を少なくして、ユーザの行動履歴に基づいて生成された嗜好情報に応じて映像データを選択又は生成することができる映像データ蓄積装置及び映像データ出力方法を提供すること【解決手段】本発明にかかる移動通信装置１０は、ユーザの行動に応じた位置情報を取得する位置情報取得部１１と、位置情報に対応づけられたジャンル情報を有するデータベース２０を用いて、位置情報に応じたジャンル情報を抽出する情報抽出部１２と、所定の期間内に蓄積されたジャンル情報に基づき、ユーザの嗜好情報を生成する嗜好情報生成部１３と、嗜好情報生成部１３により生成された嗜好情報に基づき映像データを選択する映像選択部１４と、を備えるものである。【選択図】図１
2011182248.tif 000002
【特許請求の範囲】
【請求項１】
ユーザの行動に応じた位置情報を取得する位置情報取得部と、
前記位置情報に対応づけられたジャンル情報を有するデータベースを用いて、前記位置情報に応じた前記ジャンル情報を抽出する情報抽出部と、
所定の期間内に蓄積された前記ジャンル情報に基づき、前記ユーザの嗜好情報を生成する嗜好情報生成部と、
前記嗜好情報に基づき映像データを選択する映像選択部と、を備える移動通信装置。
【請求項２】
前記ユーザの商品購入履歴を記録する商品購入履歴記録部をさらに備え、
前記情報抽出部は、
前記ユーザの商品購入履歴と当該商品に対応付けられたジャンル情報とを有するデータベースを用いて、前記商品購入履歴記録部に記録された商品に応じたジャンル情報を抽出する、請求項１記載の移動通信装置。
【請求項３】
前記嗜好情報生成部は、
前記商品購入履歴に示された時間における位置情報に対応付けられたジャンル情報と、前記商品に対応付けられたジャンル情報とが異なる場合、当該商品に対応付けられたジャンル情報を用いて前記ユーザの嗜好情報を生成する、請求項２記載の移動通信装置。
【請求項４】
前記嗜好情報生成部は、
所定期間内に、同一種類のジャンル情報が所定数を超えて蓄積されたジャンル情報を選択し、
前記映像選択部は、
前記嗜好情報生成部により選択されたジャンル情報に関連する映像データを選択する、請求項１乃至３のいずれか１項に記載の移動通信装置。
【請求項５】
前記映像選択部は、
前記選択された映像データのダイジェスト映像データを取得し、前記映像データを取得するか否かを示す映像選択情報を映像データ蓄積装置へ出力する、請求項１乃至４のいずれか１項に記載の移動通信装置。
【請求項６】
前記映像選択情報には、前記映像データを全て取得するか、前記映像データの一部の映像データを取得するか、又は前記映像データを取得しないかのいずれかが含まれる、請求項５に記載の移動通信装置。
【請求項７】
前記位置情報取得部は、
前記ユーザの行動に応じた位置情報として、当該ユーザのＧＰＳ（Global Positioning System）情報に基づいて設定された住所情報又はスケジュール登録情報から決定されるユーザの移動先情報の少なくとも一方を取得する、請求項１乃至６のいずれか１項に記載の移動通信装置。
【請求項８】
前記情報抽出部は、
前記ユーザが予め定められた時間以上滞在した位置情報を用いて、前記ジャンル情報を抽出する、請求項１乃至７のいずれか１項に記載の移動通信装置。
【請求項９】
前記位置情報取得部は、
予め定められた時間内における前記ユーザの行動に応じた位置情報を取得する、請求項１乃至８のいずれか１項に記載の移動通信装置。
【請求項１０】
ユーザの行動に応じた位置情報を取得するステップと、
前記位置情報に対応づけられたジャンル情報を有するデータベースを用いて、前記位置情報に応じた前記ジャンル情報を抽出するステップと、
所定の期間内に蓄積された前記ジャンル情報に基づき、前記ユーザの嗜好情報を生成するステップと、
前記嗜好情報に基づき映像データを選択するステップと、を備える映像データ選択方法。
【発明の詳細な説明】
【技術分野】
【０００１】
本発明は移動通信装置及び映像データ選択方法に関し、特に嗜好情報を用いた移動通信装置及び映像データ選択方法に関する。
【背景技術】
【０００２】
近年、携帯端末の保存メモリが増加し、描画エンジンなどの高機能化により動画視聴環境が進化している。これに伴って、移動中などの空き時間に携帯端末を用いて動画を視聴する使用者が増えてきた。また、生活パターンの多様化によりＴＶ番組を視聴する時間帯も変化し、平日の昼間のＴＶ番組を休日にまとめて視聴したり、通勤などの移動中に視聴するなど、ＴＶの視聴時間が、個人の時間の使い方に合わせて変化している。更に、ハードディスクレコーダの普及と大容量化が進み、長時間のＴＶ番組録画が可能となったことも、ＴＶ番組を視聴する時間帯を変化させた要因の一つである。この変化に伴い、ハードディスクレコーダに録画したＴＶ番組を携帯端末に転送し視聴するといった視聴方法が多くなっている。
【０００３】
しかし、ハードディスクレコーダから、録画したＴＶ番組（以下、映像データと言う）を携帯端末に転送するために、大容量化により膨大な量の映像データが記録しているハードディスクレコーダから、転送したい番組やシーンを選び出すことは困難である。さらに、携帯端末をハードディスクレコーダに接続し動画を転送する際に、転送したい番組や、シーンを選択する必要があり、転送作業に伴う使用者の労力がとても大きくなっている。
【０００４】
そこで、特許文献１には、表示装置に表示される画像について、ユーザの履歴情報に応じて、静止画データもしくは動画データの表示を切り替えることができる表示装置が開示されている。ユーザの履歴情報とは、非接触ＩＣカード等を用いて抽出されるユーザの行動情報であり、この情報を用いてユーザの嗜好情報を抽出する。表示装置は、抽出されたユーザの嗜好情報に応じて、表示する画像を切り替えることができる。
【０００５】
また、特許文献２には、ユーザの行動範囲に適合する地域情報を移動通信装置へ配信することができる移動体向け情報提供システムが開示されている。
【先行技術文献】
【特許文献】
【０００６】
【特許文献１】特開２００９−０９８４９６号公報
【特許文献２】特開２００３−３１９４２８号公報
【発明の概要】
【発明が解決しようとする課題】
【０００７】
しかし、特許文献１に開示されているユーザの履歴情報の生成方法を用いた場合、非接触ＩＣカードを用いなければ履歴情報を生成することができない。そのため、履歴情報に示されるユーザの行動範囲が、非接触ＩＣカードの読取装置がある場所に限定されてしまう。これにより、広範囲にわたり、ユーザの履歴情報を生成することができないという問題がある。
【０００８】
また、特許文献２に開示されている情報提供システムにおいては、情報提供を希望するユーザが、どのような情報の提供を希望するかについて、様々な条件を入力する必要がある。そのため、情報を取得するまでの操作が煩わしく感じられるという問題がある。
【０００９】
本発明は、このような問題を解決するためになされたものであり、映像データを取得するユーザの操作労力を少なくし、ユーザの行動履歴に基づいて生成された嗜好情報に応じて映像データを選択することができる移動通信装置及び映像データ選択方法を提供することを目的とする。
【課題を解決するための手段】
【００１０】
本発明の第１の態様にかかる移動通信装置は、ユーザの行動に応じた位置情報を取得する位置情報取得部と、前記位置情報に対応づけられたジャンル情報を有するデータベースを用いて、前記位置情報に応じた前記ジャンル情報を抽出する情報抽出部と、所定の期間内に蓄積された前記ジャンル情報に基づき、前記ユーザの嗜好情報を生成する嗜好情報生成部と、前記嗜好情報に基づき映像データを選択する映像選択部と、を備えるものである。
【００１１】
本発明の第２の態様にかかる映像データ出力方法は、ユーザの行動に応じた位置情報を取得するステップと、前記位置情報に対応づけられたジャンル情報を有するデータベースを用いて、前記位置情報に応じた前記ジャンル情報を抽出するステップと、所定の期間内に蓄積された前記ジャンル情報に基づき、前記ユーザの嗜好情報を生成するステップと、前記嗜好情報に基づき映像データを選択するステップと、を備えるものである。
【発明の効果】
【００１２】
本発明によれば、映像データを取得するユーザの操作労力を少なくし、ユーザの行動履歴に基づいて生成された嗜好情報に応じて映像データを選択することができる移動通信装置及び映像データ選択方法を提供することができる。
【図面の簡単な説明】
【００１３】
【図１】実施の形態１にかかる移動通信装置の構成図である。
【図２】実施の形態１にかかる移動通信装置の構成図である。
【図３】実施の形態１にかかる情報抽出部１２において生成される管理データを説明する図である。
【図４】実施の形態１にかかる映像データ蓄積装置の構成図である。
【図５】実施の形態１にかかる映像データ取得処理にかかるフローチャートである。
【図６】実施の形態２にかかる移動通信装置の構成図である。
【発明を実施するための形態】
【００１４】
（実施の形態１）
以下、図面を参照して本発明の実施の形態について説明する。図１を用いて本発明の実施の形態１にかかる移動通信装置について説明する。移動通信装置１０は、位置情報取得部１１と、情報抽出部１２と、嗜好情報生成部１３と、映像選択部１４と、を備えている。また、移動通信装置１０は、データベース２０及び映像データ蓄積装置３０と接続されている。
【００１５】
位置情報取得部１１は、ユーザの行動に応じた位置情報を取得する。ユーザの行動に応じた位置情報とは、例えば、移動通信装置１０の位置を特定するために用いられるＧＰＳ（Global Positioning System）情報である。また、その他の例としては、移動通信装置１０にユーザのスケジュール情報が登録されている場合、スケジュール情報に登録されている移動先情報等がある。位置情報取得部１１は、取得した位置情報を情報抽出部１２へ出力する。
【００１６】
情報抽出部１２は、位置情報に対応付けられたジャンル情報を有するデータベース２０を用いて、位置情報取得部１１から取得した位置情報に応じたジャンル情報を抽出する。情報抽出部１２は、位置情報取得部１１から取得した位置情報をデータベース２０へ出力し、データベース２０は、取得した位置情報に応じたジャンル情報を情報抽出部１２へ出力する。
【００１７】
ここで、情報抽出部１２が取得する位置情報とは、ＧＰＳ情報に基づいて定められる住所情報等であり、ジャンル情報とは、定められた住所において販売されている製品や、提供されているサービスが分類される情報である。例えば、定められた住所において、理容店もしくは美容院等が存在する場合には、ジャンル情報として「ファッション」が抽出される。また、定められている住所において、プールもしくはスポーツジム等が存在する場合には、ジャンル情報として「スポーツ」が抽出される。情報抽出部１２は、抽出したジャンル情報を嗜好情報生成部１３へ出力する。
【００１８】
嗜好情報生成部１３は、所定の期間内に蓄積されたジャンル情報に基づき、ユーザの嗜好情報を生成する。所定の期間とは、１日であってもよく、１週間であってもよく、それ以上の期間であってもよい。嗜好情報とは、ユーザが頻繁に訪れた場所において提供されているサービスのジャンルに関する情報であり、所定の期間内に、それぞれのジャンル情報が何回蓄積されたかを示す情報である。これを用いることにより、ユーザは、蓄積された回数が多いジャンル情報に関する映像データを取得することを望んでいるとみなされる。嗜好情報生成部１３は、蓄積された回数の多いジャンル情報を嗜好情報として、映像選択部１４へ出力する。嗜好情報生成部１３は、最も多く蓄積されたジャンル情報のみを映像選択部１４へ出力してもよく、一定の回数以上蓄積された１つもしくは複数のジャンル情報を映像選択部１４へ出力してもよい。
【００１９】
映像選択部１４は、嗜好情報生成部１３から取得した嗜好情報に基づき、ユーザが取得を希望する映像データを選択する。映像選択部１４は、嗜好情報に「ファッション」が含まれている場合、ファッションに関する映像データを選択する。映像データは、録画されたＴＶ番組であってもよく、ユーザ自らが撮影した映像データであってもよく、インターネット等を介して取得した映像データであってもよい。また、これらの映像データは、静止画もしくは動画であってもよい。移動通信装置１０は、映像選択部１４において選択された映像データを、映像データ蓄積装置から取得する。
【００２０】
以上説明したように、図１にかかる移動通信装置を用いることにより、ユーザの行動に応じた位置情報に基づいてユーザの嗜好情報を生成することができる。これにより、ユーザは、ＴＶ番組等の映像データを蓄積している映像データ蓄積装置から、嗜好情報に関連する映像データを取得することができるため、ユーザは特別な操作をすることなく、容易に自らの嗜好情報に沿った映像データを取得することができる。
【００２１】
また、ユーザの行動に応じた位置情報はＧＰＳ情報もしくはスケジュール登録情報から取得することができるため、広範囲にわたる位置情報を取得することができる。
【００２２】
続いて、図２を用いて本発明の実施の形態にかかる移動通信装置の詳細な構成例について説明する。移動通信装置１０は、図１における移動通信装置１０の構成に加えて、さらにＧＰＳ情報取得部１５と、行動履歴情報生成部１６と、通信部１７と、映像データ保持部１８と、を備えている。位置情報取得部１１と、情報抽出部１２と、嗜好情報生成部１３と、映像選択部１４とは、図１と同様の構成及び機能を有するため、詳細な説明を省略する。
【００２３】
ＧＰＳ情報取得部１５は、緯度及び経度情報とから構成されるＧＰＳ情報を、ＧＰＳアンテナを用いて取得する。ＧＰＳ情報取得部１５は、所定の周期毎にＧＰＳ情報を取得する。ＧＳＰ情報を取得する周期は、変更することができる。ＧＰＳ情報取得部１５は、取得したＧＰＳ情報を行動履歴情報生成部１６へ出力する。
【００２４】
行動履歴情報生成部１６は、取得したＧＰＳ情報を住所情報に変換する。このとき、外部装置が、ＧＰＳ情報と住所情報とを関連付けたデータベースを保持している場合には、外部装置へＧＰＳ情報を出力して、ＧＰＳ情報に対応する住所情報を取得してもよい。もちろん、ユーザ装置１０が上述したデータベースを保持している場合には、保持しているデータベースを用いて住所情報を取得してもよい。行動履歴情報生成部１６は、生成した住所情報を情報抽出部１２へ出力する。この時、行動履歴情報生成部１６は、次のようにして住所情報を情報抽出部１２へ出力してもよい。
【００２５】
行動履歴情報生成部１６は、ＧＰＳ情報取得部１５から定期的にＧＰＳ情報を取得する。例えば、行動履歴情報生成部１６は、１分毎にＧＰＳ情報を取得する。この時、行動履歴情報生成部１６は、例えば５回連続して同一のＧＰＳ情報を取得した場合に、住所情報を情報抽出部１２へ出力するようにしてもよい。これにより、ユーザが同一の場所に５分以上滞在した場合に、ユーザの住所情報が情報抽出部１２へ出力される。そのため、ユーザが単に通り過ぎたにすぎない場所に関する住所情報は情報抽出部１２へ出力されない。よって、ユーザがある目的を持った場所に関する住所情報のみが情報抽出部１２へ出力されることから、情報抽出部１２及び嗜好情報生成部１３における処理負担を軽減するとともに、よりユーザの嗜好に沿った嗜好情報を生成することができる。ＧＰＳ情報の取得周期及び住所情報を情報抽出部１２へ出力する際の判断に用いられる、同一のＧＰＳ情報を取得する回数は、適宜変更することができる。
【００２６】
また、行動履歴情報生成部１６は、予め定められた時間内において取得されたＧＰＳ情報に対応付けられた住所情報を情報抽出部１２へ出力してもよい。たとえば、１８時以降２４時以前に抽出されたＧＰＳ情報に対応付けられた住所情報のみを情報抽出部１２へ出力するという処理を行ってもよい。これにより、業務時間外における嗜好情報を生成することができる。また、時間帯を変更することにより、業務時間内における嗜好情報を生成することもでき、さらに時間帯を週末に設定することにより、休日における嗜好情報を生成することもできる。
【００２７】
情報抽出部１２及び嗜好情報生成部１３は、行動履歴情報生成部１６から出力された住所情報に基づいて、嗜好情報を生成し、映像選択部１４は、嗜好情報に沿った映像データを選択する。映像選択部１４は、例えば嗜好情報に沿った映像データを、ＴＶ番組表等から選択することができる。
【００２８】
通信部１７は、映像選択部１４において選択された映像データを取得するために、映像データ蓄積装置３０に対して、選択した映像データに関する情報を出力する。また、通信部１７は、選択した映像データを映像データ蓄積装置３０から取得し、映像データ保持部１８に取得した映像データを保持する。通信部１７は、映像データ蓄積装置３０との通信に、無線ＬＡＮ等の近距離無線通信を用いてもよく、移動通信事業者が提供するネットワークを用いてもよい。例えば、通信部１７は、自宅においては、無線ＬＡＮ等を用いて映像データ蓄積装置３０と通信し、外出先においては、移動通信事業者が提供するネットワークを用いるように、通信方法を切り替えてもよい。
【００２９】
続いて、図３用いて本発明の実施の形態１にかかる情報抽出部１２において生成される管理データについて説明する。図３は、ＧＰＳ情報が取得されたデータ取得日と、曜日と、時間と、ＧＰＳ情報に対応付けられた住所情報と、その住所において提供されているサービスに関する情報と、サービスのジャンル情報とを関連付けて管理している。
【００３０】
データ取得日と、曜日と、時間と、住所情報とは、行動履歴情報生成部１６から出力される。行動履歴情報生成部１６は、ＧＰＳ情報に対応する住所情報を情報抽出部１２へ出力する。また、情報抽出部１２は、住所情報とサービス情報とを関連付けたデータベースを用いて、行動履歴情報生成部１６から出力された住所情報に対応するサービス情報を取得する。さらに、サービス情報とジャンル情報とを関連付けたデータベースを用いて、取得したサービス情報に対応するジャンル情報を取得する。住所情報とサービス情報とを関連付けたデータベース及びサービス情報とジャンル情報とを関連付けたデータベースは、外部のサーバ装置において保持されてもよく、移動通信装置１０内に保持されてもよい。また、上述した説明においては、住所情報とサービス情報とを用いてジャンル情報を取得しているが、住所情報とジャンル情報とを関連付けたデータベースが外部のサーバもしくは移動通信装置１０内において保持されている場合には、住所情報に対応するジャンル情報を取得してもよい。
【００３１】
嗜好情報生成部１３は、図３のデータを用いて、最も多く抽出されたジャンル情報をユーザの嗜好情報として選択する。例えば、図３においては、スーパーマーケットに関するジャンル情報が最も多く抽出されている。そのため、嗜好情報生成部１３は、嗜好情報をスーパーマーケットとして、映像選択部１４へ出力し、映像選択部１４は、スーパーマーケットに関する映像データをＴＶ番組表等から選択する。
【００３２】
次に、映像選択部１４における映像データの選択に関する処理について説明する。映像選択部１４は、映像データ蓄積装置３０において保持されている映像データの題名と、ジャンル情報と、録画した日時と、ユーザへ送信されたことが有るか否かと、を関連付けて管理する。その他、映像データの再生時間、映像データの出演者又は放送会社名等、他の情報をさらに関連付けて管理してもよい。
【００３３】
映像選択部１４は、嗜好情報生成部１３から取得した嗜好情報を用いて、当該嗜好情報に対応するジャンル情報を有する映像データの題名を抽出する。抽出した映像データの題名が複数ある場合には、例えばユーザへ送信されたことが無い映像データのうち、録画された日時が最新の映像データを選択してもよい。又は、ユーザへ送信されたことが無い複数の映像データを選択してもよい。
【００３４】
また、移動通信装置１０内に、電車の定期券情報が登録されている非接触ＩＣチップ（図示せず）を搭載している場合、映像選択部１４は、定期券情報に記載されている区間の移動時間を取得し、移動時間内に収まる映像データを選択してもよい。移動通信装置１０が、定期券情報に記載されている区間と、その区間の移動時間情報とを対応付けるデータベースを有してもよく、外部装置が当該データベースを有してもよい。もしくは、非接触ＩＣチップに前日以前の駅構内における改札通過時間を記録し、記録された改札通過時間から、移動時間を算出してもよい。これにより、ユーザは、通勤時間もしくは通学時間等に応じた映像データを取得することができる。
【００３５】
さらに、映像選択部１４は、嗜好情報生成部１３から取得した嗜好情報を用いて、複数の映象データを抽出した場合に、次のようにして映像データを選択してもよい。映像選択部１４は、ユーザのＴＶ視聴履歴から、ユーザが最も多く視聴した番組の出演者、放送会社等を抽出し、抽出された複数の映像データの中から、当該出演者、放送会社等が対応付けられている映像データを選択してもよい。
【００３６】
映像選択部１４は、その他の方法によりユーザへ送信するための映像データを選択してもよく、その方法は上述した方法に限定されるものではない。
【００３７】
続いて、図４を用いて本発明の実施の形態１にかかる映像データ蓄積装置３０の構成例について説明する。映像データ蓄積装置３０は、通信部３１と、録画データ制御部３２と、録画データ保持部３３と、を備えている。
【００３８】
通信部３１は、移動通信装置１０が取得を希望する映像データに関する情報を取得する。通信部３１は、取得した情報を録画データ制御部３２へ出力する。録画データ制御部３２は、映像データが蓄積されている録画データ保持部３３から、取得した情報に該当する映像データを抽出し、通信部３１へ出力する。録画データ保持部３３は、録画されたＴＶ番組の映像データを保持している。また、録画データ保持部３６は、ユーザ自らが撮影した動画データや、インターネット等を介して取得した動画データを保持してもよい。
【００３９】
録画データ制御部３２は、抽出した映像データのダイジェスト映像（再生時間を短縮化した映像）を生成し、通信部３１へ出力してもよい。この場合、通信部３１は、取得したダイジェスト映像データを移動通信装置１０へ出力する。また、録画データ制御部３２は、ダイジェスト映像を視聴したユーザが、映像データの一部の取得を希望するか、抽出した映像データの全ての取得を希望するかのいずれかを示す映像選択情報に応じて、映像データを生成し、通信部３１へ出力する。通信部３１は、録画データ制御部３２から取得した映像データを移動通信装置１０へ出力する。
【００４０】
続いて、図５を用いて本発明の実施の形態１にかかる移動通信装置１０が映像データを取得する処理の流れについて説明する。
【００４１】
はじめに、通信部１７は、嗜好情報に基づいて選択した映像データに関する情報を映像データ蓄積装置３０へ出力する（Ｓ１１）。次に、通信部１７は、映像データ蓄積装置３０から、選択した映像データに関するダイジェスト映像データを取得する（Ｓ１２）。次に、映像選択部１４は、ダイジェスト映像データを閲覧したユーザから、閲覧したダイジェスト映像データに関する映像データの取得を希望するか否かの情報入力を受け付ける（Ｓ１３）。映像選択部１４は、ユーザから、映像データの取得を希望しない旨の情報入力を受け付けた場合には、処理を終了する。
【００４２】
映像選択部１４は、ユーザから、映像データの取得を希望する旨の情報入力を受け付けた場合、さらに、映像データにおける一部のデータの取得を希望するか否かの情報入力を受け付ける（Ｓ１４）。映像データにおける一部のデータとは、例えば、映像データの最初の数分もしくは最後の数分等である。ここで、映像データにおける一部のデータの取得を希望する際に、ユーザの移動時間を用いて、一部の映像データの再生時間を指定してもよい。ユーザの移動時間は、上述したように、非接触ＩＣチップに登録されている定期券情報等を用いて算出する。
【００４３】
ユーザから映像データの一部のデータの取得を希望しない、つまり、映像データの全ての取得を希望する旨の情報入力を受け付けた場合には、映像選択部１４は、映像データの取得要求を映像データ蓄積装置３０へ出力し、映像データの全てを取得する（Ｓ１５）。ステップＳ１４において、ユーザから、映像データの一部のデータの取得を希望する旨の情報入力を受け付けた場合には、映像選択部１４は、映像データの一部取得要求を映像データ蓄積装置３０へ出力し、映像データにおける一部のデータを取得する（Ｓ１６）。
【００４４】
このように、移動通信装置１０が、はじめにダイジェスト映像データを受信し、ユーザがそれを閲覧することにより、ユーザは、映像データを取得するか否かを判断することができる。これにより、ユーザが映像データの取得を希望しない場合には、大容量の映像データをユーザ装置に記憶する必要がない。必要な映像データのみを取得することができるようにすることによって、映像データ蓄積装置ほど大きくない移動通信装置１０の記憶容量（映像データ保持部１８）を効率的に使用することができる。また、映像データの一部を取得することができるようにすることによって、さらに移動通信装置１０の記憶容量を効率的に使用することができる。
【００４５】
また、ユーザ装置が大容量の外部記憶装置を接続しているような場合には、移動通信装置１０は、はじめからすべての映像データを映像データ蓄積装置３０から取得してもよい。
【００４６】
以上説明したように、本発明の実施の形態１にかかる移動通信装置を用いることにより、移動通信装置が取得した位置情報に応じて、ユーザの嗜好性を判断するためのジャンル情報を抽出し、嗜好性情報を生成することができる。よって、ユーザは、位置情報に基づいて生成された嗜好性情報に応じて、映像データ蓄積装置に蓄積されている映像データの中から容易に映像データを取得することができる。
【００４７】
（実施の形態２）
続いて、図６を用いて本発明の実施の形態２にかかる移動通信装置４０の構成例について説明する。移動通信装置４０は、情報抽出部４２と、嗜好情報生成部４３と、映像選択部４４と、ＧＰＳ情報取得部４５と、行動履歴情報生成部４６と、通信部４７と、映像データ保持部４８と、購入履歴記録部４９とを備えている。なお、嗜好情報生成部４３乃至映像データ保持部４８は、図２における嗜好情報生成部１３乃至映像データ保持部１８と同一であるため、詳細な説明を省略する。
【００４８】
購入履歴記録部４９は、ユーザが移動通信装置４０を用いて商品を購入した場合に、商品名と、購入した時間とを含む購入履歴を記録する。ユーザが移動通信装置４０を用いて商品を購入する場合とは、例えば、移動通信装置４０が、電子マネー情報が記録された非接触型ＩＣチップを用いて商品を購入する場合がある。購入履歴記録部４９は、記録した購入履歴を情報抽出部４２へ出力する。
【００４９】
情報抽出部４２は、商品名とジャンル情報とが対応付けられたデータベースを用いて、取得した購入履歴に含まれる商品名に応じたジャンル情報を取得する。このデータベースは、外部のサーバ装置において保持されてもよく、移動通信装置４０内に保持されてもよい。
【００５０】
ここで、情報抽出部４２は、購入履歴に含まれる商品を購入した時間を用いて、購入時間における住所情報に対応付けられたジャンル情報を抽出する。情報抽出部４２は、購入した商品に対応付けられたジャンル情報と、住所情報に対応付けられたジャンル情報とが異なる場合、嗜好情報を生成するために用いるジャンル情報として、購入した商品に対応付けられたジャンル情報を用いる。
【００５１】
上述した処理は、次のような場合に有効である。例えば、異なる階にそれぞれ異なるジャンルのサービスを提供しているビルがある場合について説明する。この場合において、住所とサービス情報とを関連づけるデータベースには、ビルが位置する住所に対して、一つのサービス情報が関連付けられる。例えば、ビルの１階において提供しているサービス情報と住所とが関連づけられる。そのため、ユーザがビルの１階以外の階において商品を購入した場合、同一時刻における行動履歴情報生成部４６と、購入履歴記録部４９とからそれぞれ出力される情報に基づいて生成されるジャンル情報が、それぞれ異なる場合がある。このような場合には、購入履歴情報に基づいて生成されたジャンル情報を用いて嗜好情報を用いる方が、よりユーザの嗜好に沿った嗜好情報を生成することができる。
【００５２】
以上説明したように、本発明の実施の形態２にかかる移動通信装置を用いることにより、同一の住所において複数のジャンルのサービスが提供されているような場合においても、ユーザの嗜好に沿った正確な嗜好情報を生成することができる。
【００５３】
上記の実施形態の一部又は全部は、以下の付記のようにも記載されるが、以下には限られない。
【００５４】
（付記１）ユーザの行動に応じた位置情報を取得する位置情報取得部と、前記位置情報に対応づけられたジャンル情報を有するデータベースを用いて、前記位置情報に応じた前記ジャンル情報を抽出する情報抽出部と、所定の期間内に蓄積された前記ジャンル情報に基づき、前記ユーザの嗜好情報を生成する嗜好情報生成部と、前記嗜好情報に基づき映像データを選択する映像選択部と、を備える移動通信装置。
【００５５】
（付記２）前記ユーザの商品購入履歴を記録する商品購入履歴記録部をさらに備え、前記情報抽出部は、前記ユーザの商品購入履歴と当該商品に対応付けられたジャンル情報とを有するデータベースを用いて、前記商品購入履歴記録部に記録された商品に応じたジャンル情報を抽出する、付記１記載の移動通信装置。
【００５６】
（付記３）前記嗜好情報生成部は、前記商品購入履歴に示された時間における位置情報に対応付けられたジャンル情報と、前記商品に対応付けられたジャンル情報とが異なる場合、当該商品に対応付けられたジャンル情報を用いて前記ユーザの嗜好情報を生成する、付記２記載の移動通信装置。
【００５７】
（付記４）前記嗜好情報生成部は、所定期間内に、同一種類のジャンル情報が所定数を超えて蓄積されたジャンル情報を選択し、前記映像選択部は、前記嗜好情報生成部により選択されたジャンル情報に関連する映像データを選択する、付記１乃至３のいずれか１項に記載の移動通信装置。
【００５８】
（付記５）前記映像選択部は、前記選択された映像データのダイジェスト映像データを取得し、前記映像データを取得するか否かを示す映像選択情報を映像データ蓄積装置へ出力する、付記１乃至４のいずれか１項に記載の移動通信装置。
【００５９】
（付記６）前記映像選択情報には、前記映像データを全て取得するか、前記映像データの一部の映像データを取得するか、又は前記映像データを取得しないかのいずれかが含まれる、付記５に記載の移動通信装置。
【００６０】
（付記７）前記位置情報取得部は、前記ユーザの行動に応じた位置情報として、当該ユーザのＧＰＳ（Global Positioning System）情報に基づいて設定された住所情報又はスケジュール登録情報から決定されるユーザの移動先情報の少なくとも一方を取得する、付記１乃至６のいずれか１項に記載の移動通信装置。
【００６１】
（付記８）前記情報抽出部は、前記ユーザが予め定められた時間以上滞在した位置情報を用いて、前記ジャンル情報を抽出する、付記１乃至７のいずれか１項に記載の移動通信装置。
【００６２】
（付記９）前記位置情報取得部は、予め定められた時間内における前記ユーザの行動に応じた位置情報を取得する、付記１乃至８のいずれか１項に記載の移動通信装置。
【００６３】
（付記１０）前記情報抽出部は、前記移動通信装置の外部に配置される外部装置が保持する前記データベースを用いて、前記位置情報に応じた前記ジャンル情報を抽出する、付記１乃至９のいずれか１項に記載の移動通信装置。
【００６４】
（付記１１）前記情報抽出部は、前記位置情報に対応付けられたサービス情報を有するデータベースと、前記サービス情報に対応付けられた前記ジャンル情報を有するデータベースとを用いて、前記位置情報に応じた前記ジャンル情報を抽出する付記１乃至１０のいずれか１項に記載の移動通信装置。
【００６５】
（付記１２）ユーザの行動に応じた位置情報を取得するステップと、
前記位置情報に予め対応づけられたジャンル情報を有するデータベースを用いて、前記位置情報に応じた前記ジャンル情報を抽出するステップと、
予め定められた期間内に蓄積された前記ジャンル情報に基づき、前記ユーザの嗜好情報を生成するステップと、
前記嗜好情報に基づき映像データを選択するステップと、を備える映像データ選択方法。
【００６６】
なお、本発明は上記実施の形態に限られたものではなく、趣旨を逸脱しない範囲で適宜変更することが可能である。
【符号の説明】
【００６７】
１０  移動通信装置
１１  位置情報取得部
１２  情報抽出部
１３  嗜好情報生成部
１４  映像選択部
１５  ＧＰＳ情報取得部
１６  行動履歴情報生成部
１７  通信部
１８  映像データ保持部
２０  データベース
３０  映像データ蓄積装置
３１  通信部
３２  録画データ制御部
３３  録画データ保持部
４０  移動通信装置
４２  情報抽出部
４３  嗜好情報生成部
４４  映像選択部
４５  ＧＰＳ情報取得部
４６  行動履歴情報生成部
４７  通信部
４８  映像データ保持部
４９  購入履歴記録部
【図１】
2011182248.tif 000003
【図２】
2011182248.tif 000004
【図３】
2011182248.tif 000005
【図４】
2011182248.tif 000006
【図５】
2011182248.tif 000007
【図６】
2011182248.tif 000008